(57)【要約】操作力を効率的に刃体へと伝達することができ、刃体を開閉する際の衝撃が少ない鋏を提供する。指挿入部２ａ、２ｂの内周に、弾性変形が可能な柔軟部材からなるリング部３０ａ、３０ｂを設け、リング部の開閉方向内側部に、指の操作力に応じてリング部を弾性変形させるための長孔３１ａを設けた。切断方向に操作することによって、孔幅が狭くなるように弾性変形するので、切断操作の際の衝撃を吸収しつつ、指先の微妙な力を効果的に刃体へと伝達させることができる。
2014207823.tif 000002
【特許請求の範囲】
【請求項１】
一端にリング状の指挿入部（２）を有する把持柄（２０）を設け、他端に刃体（３）を設けた一対の鋏部材（１０）を、中間部において回動可能に結合させて構成された鋏（１）であって、
前記指挿入部（２）の内周に、弾性変形が可能な柔軟部材からなるリング部（３０）を設け、該リング部（３０）に前記指挿入部（２）における操作力に応じて該リング部（３０）を弾性変形させるための陥没部を設けたことを特徴とする鋏。
【請求項２】
前記陥没部は、前記リング部（３０）の開閉方向内側部に設けられた長孔（３１ａ）であり、切断方向に操作することによって、孔幅が狭くなるように設計されたことを特徴とする請求項１に記載の鋏。
【請求項３】
前記陥没部は、前記リング部（３０）の開閉方向外側部に設けられた長孔（３１ｂ）であり、刃体を開く方向に操作することによって、孔幅が狭くなるように設計されたことを特徴とする請求項１又は請求項２に記載の鋏。
【請求項４】
前記長孔（３１）は、前記リング部（３０）の周縁に沿った凹部（３２）の中に設けられたことを特徴とする請求項２又は請求項３に記載の鋏。
【請求項５】
前記リング部（３０）の上側部又は下側部に、第二の陥没部（３１ｃ、３１ｄ）を設けて構成されたことを特徴とする請求項１〜請求項４の何れか１つの請求項に記載の鋏。
【請求項６】
前記刃体（３）を構成する鋼部材（１１）の上端に前記把持柄（２０）を固定し、該把持柄（２０）の指挿入部（２）の内周面に沿って設けられた嵌合部（２１）と、前記リング部（３０）に設けられた被嵌合部とを嵌合させることによって構成されたことを特徴とする請求項１〜請求項５の何れか１つの請求項に記載の鋏。
【請求項７】
前記鋏部材（１０）の外側には、前記中間部から前記刃体（３）を覆うカバー部材（５）が取り付けられたことを特徴とする請求項１〜請求項６の何れか１つの請求項に記載の鋏。
【請求項８】
前記刃体（３）によって形成される切断ラインを示す表示（６）が、前記カバー部材（５）の上面に設けられたことを特徴とする請求項７に記載の鋏。
【請求項９】
前記カバー部材（５）は、透明な部材によって構成されたことを特徴とする請求項７又は請求項８に記載の鋏。
【発明の詳細な説明】
【技術分野】
【０００１】
本発明は、操作力を刃体へと効率よく伝達することができ、刃体を開閉する際の衝撃が少なく、手にやさしい鋏に関する。
【背景技術】
【０００２】
鋏は、一端にリング状の指挿入部を有する把持柄を設け、他端に刃体を設けた一対の鋏部材を、中間部において回動可能に結合させて構成されるが、強く閉じた際の衝撃を弱めるための技術として、登録実用新案第３０４０２７４号公報には、指挿入部のリングの内周にクッションリングを嵌め込んだ鋏が提案されている。
また、特開２０１１−１２０８１４号公報には、指挿入部の内側の内壁にクッション材を設けると共に、把持柄の内側面に他方の把持柄に向けて緩衝部材を突出させた鋏が提案されている。刃体を閉じたときに緩衝部材が他方の把持柄に当接して緩衝効果が発揮される。
【先行技術文献】
【特許文献】
【０００３】
【特許文献１】登録実用新案第３０４０２７４号公報
【特許文献２】特開２０１１−１２０８１４号公報
【発明の概要】
【発明が解決しようとする課題】
【０００４】
しかし、登録実用新案第３０４０２７４号公報の鋏は、指挿入部の内周のクッションリングによって緩衝性は高められるが、指先の微妙な力まで吸収されてしまい、細かい作業が必要なクラフト製作においては、手先の操作力を効率的に刃先に伝達することはできない。
特開２０１１−１２０８１４号公報の鋏は、刃体を閉じる際（即ち、切断する際）の衝撃は吸収されるが、刃体を開ける際の衝撃を吸収することはできず、刃体が勢い良く開放されてしまう危険性があった。
そこで、本発明は、手先の微妙な操作力を効率的に刃体へと伝達することができ、刃体を開閉する際の衝撃が少なく、手にやさしい鋏の提供を目的とする。
【課題を解決するための手段】
【０００５】
上記課題を解決するために、本発明は、一端にリング状の指挿入部を有する把持柄を設け、他端に刃体を設けた一対の鋏部材を、中間部において回動可能に結合させて構成された鋏であって、前記指挿入部の内周に、弾性変形が可能な柔軟部材からなるリング部を設け、該リング部に、指挿入部における操作力に応じて弾性変形させるための陥没部を設けたことを特徴とするものである。
【発明の効果】
【０００６】
本発明は、一端にリング状の指挿入部を有する一対の鋏部材を中間部において回動可能に結合させて構成された鋏において、指挿入部の内周に、弾性変形が可能な柔軟部材からなるリング部を設け、そのリング部に陥没部を設けたので、刃体を強く開閉した際に、陥没部が開閉方向へと押圧され、リング部自体を圧縮変形させることができる。これによって、刃体を開閉操作する際の衝撃を吸収することができ、手に優しく、長時間の使用に対する疲労感が少なくなる。
特に、陥没部を、リング部の開閉方向内側部に設けられた長孔とし、切断方向に操作することで孔の幅が狭くなるように設計した場合は、切断操作の際に、リンク部全体が過度に圧縮されないようにすることができる。これによって、指先による微妙な操作力を刃体に効率的に伝達させつつ、クッション性が発揮されるようにすることができる。
【図面の簡単な説明】
【０００７】
【図１】本発明の実施形態に係る鋏を示す正面図である。
【図２】上記鋏の把持柄を示す斜視図である。
【図３】上記把持柄の外観を示し、（ａ）は正面図、（ｂ）は左右側面図、（ｃ）は平面図である。
【図４】上記把持柄が刃体に取り付けられる状態を示す断面図である。
【図５】上記把持柄の指挿入部を示す正面図である。
【図６】上記指挿入部のＡ−Ａ線矢視断面図である。
【図７】上記指挿入部のＢ−Ｂ線矢視断面図である。
【図８】上記鋏の陥没部の変形例を示すＢ−Ｂ線矢視断面図である。
【図９】上記鋏の把持柄の第１変形例として、リング部の内側と外側のみに陥没部を設けたものを示す正面図である。
【図１０】上記鋏の把持柄の第２変形例として、リング部の内側のみに長孔を設けたものを示す正面図である。
【図１１】上記鋏の把持柄の第３変形例として、指の当たる場所に応じた陥没部を設計したものを示す正面図である。
【図１２】上記鋏の把持柄の第４変形例として、リングの周に沿って任意の形状の透孔を設けたものを示す正面図である。
【図１３】把持柄へのリング部の取付状態の変形例を示すＡ−Ａ矢視断面図である。
【発明を実施するための形態】
【０００８】
本発明の好適な実施形態について、添付図面に基づいて説明する。なお、実施形態は以下の形態に限定されるものではなく、本発明の課題を解決しうるものであれば他の態様も実施可能である。
【０００９】
図１は、本発明の実施形態に係る鋏１を示す正面図である。  
この鋏１は、幼児などが工作に使用するためのクラフト用の鋏であり、一端に指挿入部２ａ、２ｂを有し、他端に刃体３ａ、３ｂを設けた一対の鋏部材１０ａ、１０ｂを、中間部において回動可能に結合させて構成されたものである。
鋏部材１０ａ、１０ｂの夫々は、略左右対称の形状であり、図２に示すように、刃体３を構成する鋼部材１１の上端に把持柄２０を設けて構成される。リング状に開口された指挿入部２ａ、２ｂは、把持柄２０ａ、２０ｂの上端部に設けられる（図３、図４及び図５を参照）。
【００１０】
把持柄２０は、硬質の合成樹脂製部材によって形成されており、指挿入部２の内周面に沿ってリング部３０が取り付けられている（図６を参照）。リング部３０の材質は、弾性変形が可能なポリウレタン樹脂や合成ゴムなどの柔軟な部材が好ましい。
リング部３０には、周に沿った方向に長い長孔３１ａ、３１ｂ、３１ｃ、３１ｄが上下左右の４か所に設けられる。この長孔は、指挿入部２における操作力に応じて、リング部３０を弾性変形させるための陥没部として機能するものである。
【００１１】
これらの長孔のうち、刃体３の開閉方向内側部に設けられた第１の長孔３１ａは、刃体３を閉じる方向（切断方向Ｘ）に操作することによって、孔幅が狭くなるように、押圧方向に向けて幅が狭くなるように設計されている。即ち、リング部３０の周に沿った方向に長い透孔として設計されている。
リング部３０の開閉方向外側部に設けられた第２の長孔３１ｂは、刃体３を開く方向に操作することによって、孔幅が狭くなるように設計されている。
そして、リング部３０の上側部と下側部には、左右方向に長い第３、第４の長孔３１ｃ、３１ｄが設けられている。
【００１２】
これらの長孔３１ａ、３１ｂ、３１ｃ、３１ｄは、リング部３０の周縁に沿った縦長の凹部３２ａ、３２ｂ、３２ｃ、３２ｄの中に設けられている。
このように、指挿入部２の内周に、柔軟部材からなるリング部３０を設け、その開閉方向内側部と外側部に、リング部３０の周縁に沿って延びる縦長の凹部３２ａ、３２ｂを設け、その中に長孔３１ａ、３１ｂを設けたので、刃体３を強く開閉した際に、長孔３１と凹部３２とが開閉方向へと押圧され、リング部３０自体の圧縮変形に加えて、それらの陥没部の圧縮変形によって衝撃を効果的に吸収することができる。
【００１３】
特に、凹部３２の中に長孔３１を形成したので、圧縮率の異なる２段階の空気溜まりが形成され、切断操作の際に刃体３に伝達されるべき押圧力と、吸収されべき過度な押圧力を微妙に調節することができる（図７を参照）。
長孔３１は、リング部３０の周面に沿った方向に長く設計されており、幅を狭める方向に圧縮されるので、リンク部３０の周面を指で押圧する際に、リンク部３０の全体が過度に圧縮されることはない。これによって、指先による微妙な操作力が損われることなく、刃体へと伝達することができる。
【００１４】
上記構成の把持柄２０が、刃体３を構成するための鋼部材１１の上端部に取り付けられることで、鋏部材１０が構成される（図１を参照）。
一対の鋏部材１０ａ、１０ｂは、中間部において交差されて、枢止部４において回動可能に取り付けられる。
これらの鋏部材１０ａ、１０ｂの外側には、中間部から刃体としての鋼部材１１を覆うためのカバー部材５ａ、５ｂが取り付けられている。
【００１５】
カバー部材は５ａ、５ｂは、刃体３ａ、３ｂに直接手が触れるのを防止するためのものであり、利き手（右手）で把持した際に上面に位置する側のカバー部材には、当該刃体３によって形成される切断ラインの状態（ジグザグ状、波線状、直線状など）を示す表示６が設けられている。
上記構成の鋏１の使用状態を説明する。
【００１６】
まず、カバー部材５の上面に表示された切断ライン表示６を確認しながら、鋏の指挿入部２ａ、２ｂに夫々の指を差し込む。
そして、刃体３ａ、３ｂを開放する方向に操作する。この際、指挿入部２の内周面に設けられた柔軟部材からなるリング部３０を外側に向けて押圧する。リング部の開閉方向外側部には、その周縁に沿って縦方向に長い穴（第２の長孔３１ｂ）が設けられているので、強い力で押圧しても、その空気溜まりの圧縮変形によって、衝撃が吸収される。
【００１７】
開放された刃体３ａ、３ｂの間に被切断物を挟み、リング部３０の周面を、開閉方向内側に向けて押圧する。刃体３ａ、３ｂは、閉じる方向に回動し、表示に従ったラインに被切断物が切断される。この場合、リング部３０の開閉方向内側部に第１の長孔３１ａが設けられているので、被切断物の材質によっては、強い力が必要な場合であっても、指に過度の衝撃が加わることはない。
この第１の長孔３１ａは、リング部３０の周面に沿った方向に長く設計されており、幅を狭める方向に圧縮されるので、リンク部３０全体を過度に圧縮させることがなく、指先による微妙な操作力が損われることはない。
【００１８】
このため、切り絵の製作など、複雑な切断ラインを形成する際は、指先による微妙な操作力を刃体へと伝達させつつ、その際の衝撃を緩和させることができる。
特に、本実施形態では、リング部３０の内側、外側、上側、下側の４か所に長孔を設けたので、内側又は外側の長孔が幅方向に圧縮される際、上側と下側の長孔を長さ方向に圧縮されて、全体的なクッション性を程よく調節することができる。
なお、本発明においてリング部に設けられる陥没部は、透孔でなくともよく、図８に示すように、肉薄の凹部３２’であってもよい。
【００１９】
また、図９に示すように、リング部の内側と外側のみに長孔（３１ａ、３１ｂ）を設けてもよいし、図１０に示すように、リング部の内側のみに長孔（３１ａ）を設けてもよい。
また、図１１及び図１２に示すように、長孔３１ａを囲むように凹部３２ａ’を設けてもよいし、指に応じた部位に、各種形状の長孔３１”や凹部３２”を設けてもよい。
刃体３を構成する鋼部材１１の上端に把持柄２０を固定し、その把持柄２０の指挿入部２の内周面に沿って設けられた嵌合部に、リング部３０に設けられた被嵌合部を嵌合させることによって本発明の鋏を構成してもよい。
【００２０】
この場合、図１３に示すように、把持柄２０’の指挿入部２の内周面に沿って嵌合部２１を設け、リング部３０’の外壁面に被嵌合部３３を設けることで、リング部３０’を着脱可能とすることができる。
さらに、刃体３を覆うカバー部材５を透明部材によって構成することで、刃の形状を直接確認できるようにしてもよいし、カバー部材５そのものを設けない構成であってもよい。
【産業上の利用可能性】
【００２１】
本発明は、クラフトや事務用品の分野に止まらず、あらゆる産業分野で使用される鋏に適用することができる。
【符号の説明】
【００２２】
１…鋏
２…指挿入部
３…刃体
４…枢止部
５…カバー部材
６…切断ライン表示
１０…鋏部材
１１…鋼部材
２０…把持柄
３０…リング部
３１…長孔（陥没部）
３２…凹部（陥没部）
【図１】
2014207823.tif 000003
【図４】
2014207823.tif 000004
【図５】
2014207823.tif 000005
【図６】
2014207823.tif 000006
【図７】
2014207823.tif 000007
【図８】
2014207823.tif 000008
【図９】
2014207823.tif 000009
【図１０】
2014207823.tif 000010
【図１１】
2014207823.tif 000011
【図１２】
2014207823.tif 000012
【図１３】
2014207823.tif 000013
【図２】
2014207823.tif 000014
【図３】
2014207823.tif 000015
【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
一端にリング状の指挿入部（２）を有する把持柄（２０）を設け、他端に刃体（３）を設けた一対の鋏部材（１０）を、中間部において回動可能に結合させて構成された鋏（１）において、
前記指挿入部（２）の内周に、弾性変形が可能な柔軟部材からなるリング部（３０）を設け、
該リング部（３０）の開閉方向内側部に、前記指挿入部（２）における操作力に応じて該リング部（３０）を弾性変形させるための長孔（３１ａ）を設け、切断方向に操作することで孔幅が狭くなるように該長孔（３１ａ）を設計したことを特徴とする鋏。
【請求項２】
（削除）
【請求項３】
前記リング部（３０）の開閉方向外側部に、前記指挿入部（２）における操作力に応じて該リング部（３０）を弾性変形させるための長孔（３１ｂ）を設け、刃体を開く方向に操作することで孔幅が狭くなるように該長孔（３１ｂ）を設計したことを特徴とする請求項１に記載の鋏。
【請求項４】
前記長孔（３１ａ）は、前記リング部（３０）の周縁に沿った凹部（３２）の中に設けられたことを特徴とする請求項１に記載の鋏。
【請求項５】
前記リング部（３０）の上側部又は下側部に、第二の長孔（３１ｃ、３１ｄ）を設けて構成されたことを特徴とする請求項１に記載の鋏。
【請求項６】
（削除）
【請求項７】
（削除）
【請求項８】
（削除）
【請求項９】
（削除）
【国際調査報告】
2014207823.tif 000016
2014207823.tif 000017
2014207823.tif 000018
2014207823.tif 000019